(57)【要約】【課題】庫内と庫外の温度差によって庫内壁が熱変形しても、間仕切りの固定（施錠）及び固定解除（解錠）を安定して確実に行うことができる定温コンテナの移動間仕切り用固定金具を提供すること。【解決手段】定温コンテナ内で移動して庫内空間を仕切る間仕切り２２を、サイドパネル２６の内壁（庫内壁）に固設された固定用レール２７に固定するための固定金具１を、前記固定用レール２７に形成された係合孔２７ａに対して係脱されるスライダ６と、該スライダ６を少なくとも前記係合孔２７ａに係合させる方向（矢印ａ方向）へ付勢するターンオーバー機構（付勢手段）９を含んで構成し、前記間仕切り２２を固定した状態において前記スライダ６を前記係合孔２７ａを通過させてその端面を前記サイドパネル２６の内壁（係合孔２７ａの底部）に当接させる。【選択図】図１
2006170530.tif 000002
【特許請求の範囲】
【請求項１】
定温コンテナ内で移動して庫内空間を仕切る間仕切りを、庫内壁に固設された固定用レールに固定するための固定金具であって、
前記固定用レールに形成された係合孔に対して係脱されるスライダと、該スライダを少なくとも前記係合孔に係合させる方向へ付勢する付勢手段を有し、前記間仕切りを固定した状態において前記スライダを前記係合孔を通過させてその端面を前記係合孔の底部に当接させることを特徴とする定温コンテナの移動間仕切り用固定金具。
【請求項２】
前記付勢手段を、中立点を境として前記スライダを前記固定用レールの係合孔に係合させる第１の方向と係合孔から離脱させる第２の方向に切り替えて付勢するターンオーバー機構で構成したことを特徴とする請求項１記載の定温コンテナの移動間仕切り用固定金具。
【請求項３】
前記ターンオーバー機構を、一端を中心として前記スライダの移動方向に揺動し且つ他端が前記スライダに係合するスプリングガイドと、該スプリングガイドを前記スライダ方向に付勢するコイルスプリングとで構成したことを特徴とする請求項２記載の定温コンテナの移動間仕切り用固定金具。
【請求項４】
前記スライダの前記第１の方向への移動ストロークを前記第２の方向への移動ストロークよりも大きく設定したことを特徴とする請求項２記載の定温コンテナの移動間仕切り用固定金具。
【発明の詳細な説明】
【技術分野】
【０００１】
本発明は、一定の温度で物品を輸送又は保管する定温コンテナ内で任意の位置に移動させて庫内空間を仕切る間仕切りを固定するための移動間仕切り用固定金具に関するものである。
【背景技術】
【０００２】
例えば、冷蔵品と常温品とを同時に配送するような異温度配送のための定温輸送車にあっては、移動可能な間仕切りによって庫内空間を複数に仕切り、各空間をそれぞれ異なる所定の温度に保つことが行われるが、間仕切りは、庫内壁に固設された固定用レールに固定金具によって固定されていた。
【０００３】
図１０及び図１１に従来の固定金具の一例を示す。尚、図１０は従来の固定金具の正面図、図１１は図１０のＦ−Ｆ線断面図である。
【０００４】
図示の固定金具１０１は、間仕切り１２２に固定されて使用されるものであって、固定ブラケット１０４にはチャンネル部材１０３によって左右方向が開口する袋状の空間１０５が形成され、この空間１０５内には矩形プレート状のスライダ１０６が横方向（図１０の左右方向）に移動可能に収納されている。又、チャンネル部材１０３には、前記スライダ１０６の移動方向（横方向）に長いガイド溝１０３ａが形成され、このガイド溝１０３ａの両端には段凹部１０３ａ−１，１０３ａ−２が形成されている。
【０００５】
そして、上記スライダ１０６の一端下部には矩形状の係合溝１０６ａが形成されており、又、スライダ１０６には、チャンネル部材１０３に形成された前記ガイド溝１０３ａを貫通するつまみ１０８が螺着されており、該つまみ１０８の頭部は、チャンネル部材１０３の外表面に突出している。
【０００６】
更に、チャンネル部材１０３の上部外面にはロックプレート１３０がビス１３１によって回動可能に枢着されており、これには前記つまみ１０８に係合するための係合溝１０３ａが形成されている。
【０００７】
他方、図１０において、１２６は定温コンテナのサイドパネルであって、その内壁には図１０の紙面垂直方向に長い固定用レール１２７が取り付けられており、この固定レール１２７には、複数の係合孔１２７ａが長さ方向に適当なピッチで形成されている。
【０００８】
而して、図１０に示すようにスライダ１０６をサイドバネル１２６側（つまみ１０８がガイド溝１０３ａの段凹部１０３ａ−１に嵌合する位置）に移動させてその一部を固定ブラケット１０４から突出させ、これに形成された係合溝１０６ａを固定用レール１２７の係合孔１２７ａに係合させれば固定金具１０１が施錠状態となり、間仕切り１２２が固定用レール１２７に固定されてその移動が阻止される。尚。このとき、走行中の振動等によるスライダ１０６の外れを防止するため、ロックプレート１３０の係合溝１３０ａがつまみ１３０に係合する。
【０００９】
そして、定温コンテナの庫内で間仕切り１２２を図１０の紙面垂直方向に移動させるときには、ロックプレート１３０をビス１３１を中心として回してその係合溝１３０ａのつまみ１０８への係合を解除した後、つまみ１０８を持ってこれを持ち上げ、スライダ１０６の固定用レール１２７の係合孔１２７ａとの係合を解除する。そして、その状態のままスライダ１０６を図１０に鎖線にて示す位置（つまみ１０８がガイド溝１０３ａの段凹部１０３ａ−２に嵌合する位置）まで移動させれば、該つまみ１０８が固定ブラケット１０４内に収納され、固定金具１０１は解錠状態となるため、間仕切り１２２を庫内で自由に移動させることができる。
【００１０】
その他、間仕切り用固定金具に応用し得るものとして図１２に示す固定金具２０１が提案されている（特許文献１参照）。
【００１１】
即ち、図１２は固定金具２０１の一部を破断した正面図であり、この固定金具２０１は、間仕切り２２２側に取り付けられ、その固定ブラケット２０４にはスライダ２０６が移動可能に保持されている。そして、このスライダ２０６は、板バネ２１１によって中立点を境として矢印ａ又はｂ方向に付勢されている。
【００１２】
他方、図１２において、２２６は定温コンテナのサイドパネルであって、その内壁には図１２の紙面垂直方向に長い固定用レール２２７が取り付けられており、この固定レール２２７には、複数の係合孔２２７ａが長さ方向に適当なピッチで形成されている。
【００１３】
而して、板バネ２１１は、ターンオーバー機構を構成しており、中立点を越えてスライダ２０６を矢印ａ方向に移動させると該スライダ２０６を同方向に付勢し、図１２に実線にて示すようにスライダ２０６を固定ブラケット２０４から突出させてその先端部を固定用レール１２７の係合孔１２７ａに嵌入させ、固定金具２０１を施錠状態に保つ。
【００１４】
そして、上記施錠状態からスライダ２０６を中立点を越えて矢印ｂ方向に移動させると、図１２に鎖線にて示すようにスライダ２０６の先端部が固定用レール１２７の係合孔１２７ａから外れて固定金具２０１は解錠状態となり、板バネ２１１は、鎖線にて示すように変形してスライダ２０６を矢印ｂ方向に付勢する。
【００１５】
尚、ターンオーバー機構を用いた錠については、例えば特許文献２にその記載がある。
【００１６】
【特許文献１】実開昭４８−０２６７５０号公報
【特許文献２】実開昭５９−０９８０６７号公報
【発明の開示】
【発明が解決しようとする課題】
【００１７】
ところで、定温コンテナにおいては、庫内と庫外の温度差によってサイドパネルが熱変形し、庫内温度が外気温度よりも低いとサイドパネルが外側に膨らみ、逆に庫内温度が外気温度よりも高いと内側にへこむ。
【００１８】
従って、図１０及び図１１に示す従来の固定金具１０１では、サイドパネル１２６が上述のように熱変形により膨らんだりへこんだりしてサイドパネル１２６と固定金具１０１との間隔が変化すると、スライダ１０６が固定用レール１２７の係合孔１２７ａから外れにくくなるという問題が発生する。
【００１９】
又、図１２に示す固定金具２０１では、特に庫内温度が外気温度よりも低くサイドパネル２２６が外側に膨らんだ場合には、スライダ２０６が固定用レール１２７の係合孔１２７ａから外れてしまうという問題が発生する。
【００２０】
本発明は上記問題に鑑みてなされたもので、その目的とする処は、庫内と庫外の温度差によって庫内壁が熱変形しても、間仕切りの固定（施錠）及び固定解除（解錠）を安定して確実に行うことができる定温コンテナの移動間仕切り用固定金具を提供することにある。
【課題を解決するための手段】
【００２１】
上記目的を達成するため、請求項１記載の発明は、定温コンテナ内で移動して庫内空間を仕切る間仕切りを、庫内壁に固設された固定用レールに固定するための固定金具を、前記固定用レールに形成された係合孔に対して係脱されるスライダと、該スライダを少なくとも前記係合孔に係合させる方向へ付勢する付勢手段を含んで構成し、前記間仕切りを固定した状態において前記スライダを前記係合孔を通過させてその端面を前記係合孔の底部に当接させることを特徴とする。
【００２２】
請求項２記載の発明は、請求項１記載の発明において、前記付勢手段を、中立点を境として前記スライダを前記固定用レールの係合孔に係合させる第１の方向と係合孔から離脱させる第２の方向に切り替えて付勢するターンオーバー機構で構成したことを特徴とする。
【００２３】
請求項３記載の発明は、請求項２記載の発明において、前記ターンオーバー機構を、一端を中心として前記スライダの移動方向に揺動し且つ他端が前記スライダに係合するスプリングガイドと、該スプリングガイドを前記スライダ方向に付勢するコイルスプリングとで構成したことを特徴とする。
【００２４】
請求項４記載の発明は、請求項２記載の発明において、前記スライダの前記第１の方向への移動ストロークを前記第２の方向への移動ストロークよりも大きく設定したことを特徴とする。
【発明の効果】
【００２５】
請求項１記載の発明によれば、間仕切りを固定金具で固定した状態において、スライダを固定用レールの係合孔を通過させてその端面を係合孔の底部に当接させるようにしたため、庫内と庫外の温度差によって庫内壁が熱変形しても、スライダは、庫内壁の熱変形に追従して移動し、その先端部は常に係合穴の底部に当接しているため、これが固定用レールの係合孔から外れることがなく、間仕切りの固定が常に安定して確実になされる。
【００２６】
請求項２及び３記載の発明によれば、ターンオーバー機構によってスライダの移動にクリック感が付与され、固定金具による間仕切りの固定及び固定解除が確実になされるとともに、スライダを固定及び固定解除位置に確実に保持しておくことができる。又、間仕切りの固定時において、スライダの先端部を係合穴の底部に所定の力で押圧することができる。
【００２７】
請求項４記載の発明によれば、固定金具のスライダの第２の方向（施錠方向）への移動ストロークを第１の方向（解錠方向）への移動ストロークよりも大きく設定したため、施錠時の庫内壁の熱変形に対するスライダの追従性が高められ、該スライダの固定用レールの係合孔からの外れが一層確実に防がれ、固定金具による間仕切りの固定が確実になされる。
【発明を実施するための最良の形態】
【００２８】
以下に本発明の実施の形態を添付図面に基づいて説明する。
【００２９】
図４は異温度品を配送するための定温輸送車の一部を破断して示す斜視図であり、その荷台部分には矩形ボックス状の定温コンテナ２０が設けられている。この定温コンテナ２０の後面開口部は、左右の開閉扉２１によって開閉可能であり、定温コンテナ２０の内部は車体前後方向に移動可能な間仕切り２２によって例えば冷蔵室ＳＡと常温室ＳＢとに区画され、冷蔵室ＳＡにはエバポレータ等の室内機２３が設置されている。
【００３０】
ここで、定温コンテナ２０の構成の詳細を図５〜図９に基づいて説明する。尚、図５は定温コンテナの平面図、図６は図５のＢ−Ｂ線断面図、図７は図５のＣ−Ｃ線断面図、図８は図７のＤ部拡大詳細図、図９は図７のＥ部拡大詳細図である。
【００３１】
定温コンテナ２０内の天井部の左右のコーナー部分には、図６及び図８に示すように、移動用レール（図６及び図８には一方の図示）２４が車体前後方向に沿って部分的に固設されており、これら左右一対の移動用レール２４には、前記間仕切り２２の上端両側部に回転自在に軸支されたローラ（図８には一方のみ図示）２５が係合している。従って、間仕切り２２は、ローラ２５を介して移動用レール２４に移動可能に支持されており、移動用レール２４に沿って車体前後方向に移動することによって冷蔵室ＳＡと常温室ＳＢの容積割合を変更する。
【００３２】
又、定温コンテナ２０の左右のサイドパネル２６の各内面には、図６及び図９に示すように、固定用レール２７が１段又は上下２段に亘って車体前後方向に平行に固設されており（図６及び図９には一方のみ図示）、各固定用レール２７には、上下方向に長い矩形状の複数の係合孔２７ａが車体前後に適当なピッチで形成されている。
【００３３】
他方、図７及び図９に示すように、間仕切り２２の左右両側の枠材２２ａの前記固定用レール２７に対向する部位には、本発明に係る固定金具１が複数のボルト２８によってそれぞれ取り付けられており、これらの固定金具１によって間仕切り２２の固定用レール２７への固定（施錠）及び固定解除（解錠）がなされる。尚、図７において、２９，３０は密閉用弾性体である。又、固定金具１は、ボルト２８以外にも、リベット、溶接等の方法で固定しても良い。
【００３４】
次に、本発明に係る前記固定金具１の構成の詳細を図１〜図３に基づいて説明する。尚、図１は施錠状態にある固定金具の正面図、図２は図１のＡ−Ａ線断面図、図３は解錠状態にある固定金具の正面図である。
【００３５】
本発明に係る固定金具１は、ベースプレート２にハット型のチャンネル部材３を接合一体化して成る固定ブラケット４を備え、この固定ブラケット４には、ベースプレート２とチャンネル部材３によって左右方向が開口する袋状の空間５が形成され、この空間５内には矩形プレート状のスライダ６が前後２つのローラ７によって横方向（図１の左右方向）に移動可能に支持されて収納されている。尚、スライダ６のローラ７は無くても良く、固定ブラケット４をリベット等、ボルト以外の固定手段によって固定しても良い。
【００３６】
又、チャンネル部材３には、前記スライダ６の移動方向（横方向）に長いガイド溝３ａが形成されている。尚、固定ブラケット４の上下には、当該固定金具１を間仕切り２２に取り付けるための前記ボルト２８（図９参照）を通すための横方向に長い長孔４ａが左右２箇所にそれぞれ穿設されている。
【００３７】
そして、上記スライダ６には、固定ブラケット４のチャンネル部材３に形成された前記ガイド溝３ａを貫通するつまみ８が螺着されたおり、該つまみ８の頭部は、チャンネル部材３の外表面に突出している。
【００３８】
又、固定ブラケット４に形成された前記空間５内にはターンオーバー機構９が収納されている。このターンオーバー機構９は、中立点を境として前記スライダ６を施錠方向（矢印ａ方向）と解錠方向（矢印ｂ方向）に切り替えて付勢するものであって、スプリングガイド１０とこれを付勢するコイルスプリング１１を含んで構成されている。
【００３９】
即ち、上記スプリングガイド１０の一端にはガイド溝１０ａが形成されており、他端には係合凹部１０ｂが形成されている。そして、このスプリングガイド１０の前記ガイド溝１０ａには、固定ブラケット４のベースプレート２とチャンネル部材３との間に水平に架設されたピン１２が係合しており、従って、スプリングガイド１０は、ピン１２を中心として前記スライダ６の移動方向に揺動することができる。又、スプリングガイド１０の他端に形成された前記係合凹部１０ｂは、スライダ６に一体に形成された係合凸部６ａに係合しており、この状態でスプリングガイド１０は、前記コイルスプリング１１によってスライダ６側に付勢されている。
【００４０】
次に、以上のように構成された固定金具１の作用について説明する。
【００４１】
各固定金具１において、つまみ８を把持してこれを図１の矢印ａ方向に操作すると、該つまみ８に連結されたスライダ６も一体的に同方向に移動する。そして、スライダ６が中立位置（ターンオーバー機構９が垂直になる位置）を超えると、ターンオーバー機構９のコイルスプリング１１によってスライダ６には矢印ａ方向の付勢力が加わり、スライダ６の先端部は図１に示すように固定ブラケット４から突出する。
【００４２】
而して、本実施の形態では、図１に示す施錠状態においては、スライダ６は、その先端部が固定用レール２７の係合孔２７ａを通過して係合孔２７ａの底部（本実施の形態では、サイドパネル２６の内壁）に当接しており、係合孔２７ａへの係合によって間仕切り２２を固定用レール２７に固定してその移動を阻止する。このとき、スライダ６は、その先端部がサイドパネル２６に当接した状態のまま、中立点から最突出位置（つまみ８がガイド溝３ａの端部に当接する位置）までの距離（矢印ａ方向への移動ストローク）Ｓ１の範囲で移動することができる。
【００４３】
従って、庫内と庫外の温度差によってサイドパネル２６が熱変形し、これが外側に膨らんだり、或は逆に内側にへこんでも、固定金具１のスライダ６は、コイルスプリング１１によって矢印ａ方向に付勢されているため、サイドパネル２６の変形に追従して移動し、その先端部は常にサイドパネル２６の内壁に当接しているため、これが固定用レール２７の係合孔２７ａから外れることがなく、間仕切り２２の固定が常に安定して確実になされる。
【００４４】
次に、間仕切り２２を移動用レール２４に沿って移動させる場合には、各固定金具１のつまみ８を把持してこれを図１の矢印ｂ方向に操作すれば、スライド６も同方向に移動し、該スライダ６の先端部が固定用レール２７の係合孔２７ａから外れるため、固定金具１による間仕切り２２の固定が解除（解錠）される。そして、スライダ６が中立位置を超えると、ターンオーバー機構９のコイルスプリング１１によってスライダ６には図１の矢印ｂ方向の付勢力が加わり、つまみ８が固定ブラケット４（チャンネル部材３）のガイド溝３ａの端部に当接した時点で、図３に示すように、スライダ６が固定ブラケット４内に収納されるとともに、該スライダ４は、コイルスプリング１１の付勢力によってその状態（解錠状態）が維持される。
【００４５】
而して、上述のようにスライダ６が固定用レール２７の係合孔２７ａから外れて図３に示すように固定ブラケット４内に収納された状態では、当該固定金具１による間仕切り２２の固定が解除されるため、間仕切り２２を移動用レール２４に沿って車体前後方向に自由に移動させることができる。
【００４６】
ここで、解錠時のスライダ６の矢印ｂ方向の移動ストロークＳ２は、中立点から収納位置までの距離となるが、この移動ストロークＳ２は、施錠時の前記移動ストロークＳ１よりも小さく設定されている（Ｓ２＜Ｓ１）。つまり、施錠時のスライダ６の移動ストロークＳ１の方が解錠時のスライダ６の移動ストロークＳ２よりも大きく設定されており、このようにすることによって施錠時のサイドパネル２６の熱変形に対するスライダ６の追従性が高められ、該スライダ６の固定用レール２７の係合孔２７ａからの外れが一層確実に防がれ、固定金具１による間仕切り２２の固定が確実になされる。
【００４７】
又、本実施の形態では、固定金具１のスライダ６を付勢する手段としてターンオーバー機構９を用いたため、このターンオーバー機構９によってスライダ６の移動にクリック感が付与され、固定金具１による間仕切り２２の固定及び固定解除が確実になされるとともに、スライダ６を固定及び固定解除位置に確実に保持しておくことができる。そして、間仕切り２２の固定時においては、スライダ６の先端部をサイドパネル２６の内壁に所定の力で当接させることができる。
【００４８】
尚、本実施の形態では、係合孔２７ａの底部をサイドパネル２６の内壁で構成したが、内壁を彫り込んでも良く、或は固定用レール２７に、サイドパネル２６の内壁の代わりに底部を構成する底板を追加しても良い。
【００４９】
ところで、間仕切り２２を移動させた後にこれを固定するには、前述のようにつまみ８を把持してこれを図１の矢印ａ方向に操作し、スライダ６を同方向に移動させ、該スライダ６の先端部を固定用レール２７の係合孔２７ａに通し、その端面をサイドパネル２６の内壁に当接させれば良い。
【産業上の利用可能性】
【００５０】
本発明は、定温搬送車に搭載される移動用の定温コンテナのみならず、定置される定温コンテナ等の間仕切りの固定に供される固定金具に対しても同様に適用可能である。
【図面の簡単な説明】
【００５１】
【図１】本発明に係る固定金具の施錠状態を示す正面図である。
【図２】図１のＡ−Ａ線断面図
【図３】本発明に係る固定金具の解錠状態を示す正面図である。
【図４】定温輸送車の一部を破断して示す斜視図である。
【図５】定温コンテナの平面図である。
【図６】図５のＢ−Ｂ線断面図である。
【図７】図５のＣ−Ｃ線断面図である。
【図８】図７のＤ部拡大詳細図である。
【図９】図７のＥ部拡大詳細図である。
【図１０】従来例１に係る固定金具の正面図である。
【図１１】図１０のＦ−Ｆ線断面図である。
【図１２】従来例２に係る固定金具の正面図である。
【符号の説明】
【００５２】
１      固定金具
２      ベースプレート
３      チャンネル部材
３ａ    ガイド溝
４      固定ブラケット
６      スライダ
８      つまみ
９      ターンオーバー機構（付勢手段）
１０    スプリングガイド
１１    コイルスプリング
１２    ピン
２０    定温コンテナ
２２    間仕切り
２４    移動用レール
２６    サイドパネル
２７    固定用レール
２７ａ  係合孔
Ｓ１    スライダの第１の方向への移動ストローク
Ｓ２    スライダの第２の方向への移動ストローク
【図１】
2006170530.tif 000003
【図２】
2006170530.tif 000004
【図３】
2006170530.tif 000005
【図４】
2006170530.tif 000006
【図５】
2006170530.tif 000007
【図６】
2006170530.tif 000008
【図７】
2006170530.tif 000009
【図８】
2006170530.tif 000010
【図９】
2006170530.tif 000011
【図１０】
2006170530.tif 000012
【図１１】
2006170530.tif 000013
【図１２】
2006170530.tif 000014